(57)【要約】【課題】光学系の再調整や修理作業を容易にすることができるレンズ鏡筒及び光学機器を提供する。【解決手段】光学系（Ｌ１）を保持する保持枠（４）と、保持枠（４）を光学系（Ｌ１）の光軸（Ｌ）と垂直な面内で移動可能に保持する固定筒（３）と、保持枠（４）を固定筒（３）に固定するための固定手段（８）と、固定筒（３）に取付けられ、保持枠（４）を固定筒（３）に付勢する付勢手段（１０）とを備えている．【選択図】図１
2012032700.tif 000002
【特許請求の範囲】
【請求項１】
光学系を保持する保持枠と、
前記保持枠を前記光学系の光軸と垂直な面内で移動可能に保持する固定筒と、
前記保持枠を前記固定筒に固定するための固定手段と、
前記固定筒に取付けられ、前記保持枠を前記固定筒に付勢する付勢手段と
を備えていることを特徴とするレンズ鏡筒。
【請求項２】
前記付勢手段は前記固定筒の先端部に形成されためねじに螺合していることを特徴とする請求項１記載のレンズ鏡筒。
【請求項３】
前記付勢手段の前記光学系の光軸と垂直な面内の移動を規制する移動規制部が前記固定筒の内周面に形成されていることを特徴とする請求項１又は２記載のレンズ鏡筒。
【請求項４】
前記保持枠と前記付勢手段との間にゴム又は両面テープが設けられていることを特徴とする請求項１〜３のいずれか１項記載のレンズ鏡筒。
【請求項５】
請求項１〜４のいずれか１項記載のレンズ鏡筒を含むことを特徴とする光学機器。
【発明の詳細な説明】
【技術分野】
【０００１】
この発明はレンズ鏡筒及び光学機器に関する。
【背景技術】
【０００２】
従来、レンズ群を保持したレンズホルダの貫通孔に通した取付けねじを緩めてレンズホルダを垂直方向にシフトさせ、レンズ群の軸ずれ偏芯を調整するレンズ鏡筒が知られている（下記公報参照）。レンズ鏡筒の前側（被写体側）にはぼろ隠し環が設けられ、取付けネジが外部から見えないようになっている。
【先行技術文献】
【特許文献】
【０００３】
【特許文献１】特開１１−１７４２９９号公報
【発明の概要】
【発明が解決しようとする課題】
【０００４】
ところで、レンズ群を光学性能が最も良くなる位置に調整しても、振動や温度サイクル等による部品の経時変化等によってレンズ群の位置が元の位置から次第にずれるので、従来、力量（ばね力）の大きなバネ座金や接着剤を用いてレンズ群の位置ずれを防止している。
【０００５】
しかし、接着剤を用いた場合、レンズホルダに付着した接着剤を再調整や修理時に除去する工程が必要になる。
【０００６】
また、力量の大きなバネ座金を用いた場合、取付けねじを本締めしたときに圧痕がレンズホルダにつき、偏芯を調整する際、圧痕とバネ座金とが干渉し、レンズホルダをスムーズにシフトさせることができなくなることがある。
【０００７】
この発明はこのような事情に鑑みてなされたもので、その課題は光学系の再調整や修理作業を容易にすることができるレンズ鏡筒及び光学機器を提供することである。
【課題を解決するための手段】
【０００８】
上記課題を解決するため請求項１記載の発明は、光学系を保持する保持枠と、前記保持枠を前記光学系の光軸と垂直な面内で移動可能に保持する固定筒と、前記保持枠を前記固定筒に固定するための固定手段と、前記固定筒に取付けられ、前記保持枠を前記固定筒に付勢する付勢手段とを備えていることを特徴とする。
【０００９】
請求項２記載の発明は、請求項１記載のレンズ鏡筒において、前記付勢手段は前記固定筒の先端部に形成されためねじに螺合していることを特徴とする。
【００１０】
請求項３記載の発明は、請求項１又は２記載のレンズ鏡筒において、前記付勢手段の前記光学系の光軸と垂直な面内の移動を規制する移動規制部が前記固定筒の内周面に形成されていることを特徴とする。
【００１１】
請求項４記載の発明は、請求項１〜３のいずれか１項記載のレンズ鏡筒において、前記保持枠と前記付勢手段との間にゴム又は両面テープが設けられていることを特徴とする。
【００１２】
請求項５記載の発明は、請求項１〜４のいずれか１項記載のレンズ鏡筒を含むことを特徴とする光学機器である。
【発明の効果】
【００１３】
この発明によれば光学系の再調整や修理作業を容易にすることができる。
【図面の簡単な説明】
【００１４】
【図１】図１はこの発明の第１実施形態に係るレンズ鏡筒の縦断面を示す概念図である。
【図２】図２はこの発明の第２実施形態に係るレンズ鏡筒の縦断面を示す概念図である。
【発明を実施するための形態】
【００１５】
以下、この発明の実施の形態を図面に基づいて説明する。
【００１６】
図１はこの発明の第１実施形態に係るレンズ鏡筒１００の縦断面を示す概念図である。
【００１７】
レンズ鏡筒１００は、第１レンズ群（光学系）Ｌ１、第２レンズ群Ｌ２、第３レンズ群Ｌ３、第４レンズ群Ｌ４、第５レンズ群Ｌ５及び第６レンズ群Ｌ６を備えている。第１レンズ群Ｌ１はレンズ枠（保持枠）４に保持され、第２レンズ群Ｌ２及び第３レンズ群Ｌ３は固定筒３に保持され、第４レンズ群Ｌ４、第５レンズ群Ｌ５及び第６レンズ群Ｌ６は摺動枠７に保持されている。また、第３レンズ群Ｌ３と第４レンズ群Ｌ４との間には光束絞り５が配置されている。光束絞り５は固定筒３に支持されている。
【００１８】
摺動枠７は、固定筒３の内周面に回転自在に嵌合するカムリング６に移動可能に装着され、フォーカス環２の操作にしたがって第４レンズ群Ｌ４、第５レンズ群Ｌ５及び第６レンズ群Ｌ６とともに光軸方向へ移動する。
【００１９】
レンズ枠４には固定ビス８（固定手段）を挿通可能な固定ビス８より大径のねじ通し孔孔４ａが形成され、固定筒３には固定ビス８と螺合可能なねじ穴３ｂが形成されている。レンズ枠４は光学系の光軸Ｌと垂直な面内で移動可能に固定筒３に保持される。レンズ枠４は固定ビス８を用いて固定筒３に固定されている。
【００２０】
固定ビス８の座面とレンズ枠４との間には固定ビス８のゆるみに起因して第１レンズ群Ｌ１の調整位置がずれないようにバネ座金９が配置されている。
【００２１】
固定筒３の先端部に形成されためねじ３ａには、固定ビス８の前面を隠すぼろ隠し環（付勢手段）１０のおねじ１０ｃが螺合している。ぼろ隠し環１０のおねじ１０ｃを固定筒３のめねじ３ａにねじ込むことによってレンズ枠４が固定筒３に付勢される。めねじ３ａには、写真を撮影する際に光が光学系を通過するのを制限するレンズフィルタ（図示せず）等のアクセサリを装着することができる。
【００２２】
また、固定筒３の先端部の内周面には、めねじ３ａに隣接して、光軸Ｌと垂直な面内のぼろ隠し環１０の移動を規制する径嵌合部（移動規制部）１０ｂが形成されている。
【００２３】
次に、上述のレンズ鏡筒１００の光学調整方法について説明する。
【００２４】
まず、ぼろ隠し環１０を緩めて固定筒３からから外し、レンズ群Ｌ１を固定筒３に固定する固定ビス８が外部から見えるようにする。
【００２５】
次に、固定ビス８を緩め、レンズ群Ｌ１を光軸Ｌに垂直な方向に±ａ（Ａ＞ａ）だけ動かして光学性能が最も良くなる位置に調整する。ここで、ａは固定筒３に対するレンズ枠４の必要偏心量であり、Ａは固定ビス８に対するレンズ枠４の必要偏心量である。
【００２６】
調整後、固定ビス８を締め付け、レンズ枠４を固定筒３に固定する。
【００２７】
次に、ぼろ隠し環１０のおねじ１０ｃを固定筒３のめねじ３ａにねじ込み、ぼろ隠し環１０の当接部１０ａをレンズ枠４に押し付け、当接部１０ａとレンズ枠４との間に作用する摩擦力によって光軸Ｌに垂直な方向へのレンズ枠４の移動を規制する。ぼろ隠し環１０のねじ込み時、径嵌合部１０ｂとぼろ隠し環１０の外周面とが嵌合するので、光軸Ｌに垂直な方向へのぼろ隠し環１０のガタが生じない。
【００２８】
このとき、当接部１０ａとレンズ枠４との間に作用する摩擦力をバネ座金９の力量と同等以上とすることができるので、力量の小さいバネ座金９としたり、バネ座金９を省略したり、固定ビス８への接着剤の塗布を省略したりすることが可能になる。
【００２９】
この実施形態によれば、固定ビス８への接着剤の塗布を省略できるので、再調整や修理時に接着剤を除去する工程を不要にできる。また、バネ座金９の力量を弱くしたり、バネ座金９を省略したりすることができるので、固定ビス８の本締め時にバネ座金９の圧痕がレンズ枠４につきにくくなり、レンズ枠４をスムーズに移動させることができる。その結果、光学系の再調整や修理作業を容易にすることができる。また、当接部１０ａとレンズ枠４との間に作用する摩擦力を大きくできるので、レンズ偏心を調整した後のレンズ枠４のズレを確実に防止できる。
【００３０】
図２はこの発明の第２実施形態に係るレンズ鏡筒１０１の縦断面を示す概念図であり、第１実施形態と共通する部分には同一符号を付しその説明を省略する。
【００３１】
この実施形態は、レンズ枠４とぼろ隠し環１０の当接部１０ａとの間にゴム又は両面テープ等の摩擦部材１１を設けた点で第１実施形態と相違する。
【００３２】
この実施形態によれば、第１実施形態と同様の効果を奏するとともに、当接部１０ａとレンズ枠４との間に作用する摩擦力が第１実施形態より大きくなるので、第１実施形態よりレンズ群Ｌ１の位置ずれを確実に防止することができる。
【００３３】
なお、上述の実施形態のレンズ鏡筒は例えばカメラ（光学機器）のボディ２００に装着される。
【符号の説明】
【００３４】
３：固定筒、３ａ：めねじ、４：レンズ枠（保持枠）、８：固定ビス（固定手段）、１０：ぼろ隠し環（付勢手段）、１０ｂ：径嵌合部（移動規制部）、１１：摩擦部材、１００、１０１：レンズ鏡筒、Ｌ：光軸、Ｌ１：第１レンズ群（光学系）。
【図１】
2012032700.tif 000003
【図２】
2012032700.tif 000004